(57)【特許請求の範囲】
【請求項１】
通信ネットワーク内で非同期のユーザ機器（ＵＥ）へ信号をダウンリンク送信する方法であって、
前記ネットワーク内のノードにより、前記ＵＥの同期を要求するステップと、
前記ＵＥの同期の前に、前記ノードから前記ＵＥへ第１のデータ信号を送信するステップと、
前記ＵＥの前記ネットワークとの同期を実行するステップと、
前記ＵＥが同期した後に、前記ノードから前記ＵＥへの第２のデータ信号を送信するステップと、
前記第１のデータ信号及び前記第２のデータ信号の累積的なフィードバックメッセージである応答フィードバックメッセージを、前記ＵＥから前記ノードへ送信するステップと、
を含む方法。
【請求項２】
前記ノードは、拡張ノードＢである、請求項１に記載の方法。
【請求項３】
前記ＵＥの同期を要求する前記ステップは、物理ダウンリンク制御チャネル上で前記ノードから前記ＵＥへ要求メッセージを送信することを含む、請求項１に記載の方法。
【請求項４】
前記ＵＥの同期を実行する前記ステップは、
前記ＵＥによる前記ノードとのランダムアクセス手続を実行することと、
前記ノードから前記ＵＥへ時間調整コマンドを送信して、前記ＵＥに前記ネットワークと同期させることと、
を含む、請求項１に記載の方法。
【請求項５】
前記フィードバックメッセージは、ハイブリッド自動再送要求（ＨＡＲＱ）フィードバックメッセージである、請求項１に記載の方法。
【請求項６】
前記フィードバックメッセージは、前記第１及び第２のデータ信号の累積的な確認応答／否定応答（ＡＣＫ／ＮＡＣＫ）メッセージである、請求項５に記載の方法。
【請求項７】
前記方法は、前記ＵＥの同期の前に第３のデータ信号を送信するステップ、をさらに含み、
前記第１及び第３のデータ信号は、第１のＨＡＲＱプロセスに関連付けられる、
請求項５に記載の方法。
【請求項８】
前記第２のデータ信号は、前記第１のデータ信号の再送信号であり、前記第１のＨＡＲＱプロセスに関連付けられ、
前記フィードバックメッセージは、前記第２のデータ信号を前記第１及び第３のデータ信号とソフト合成する、
請求項７に記載の方法。
【請求項９】
前記第３のデータ信号は、前記第１のデータ信号の再送信号である、請求項８に記載の方法。
【請求項１０】
前記方法は、前記ＵＥの同期の前に第３のデータ信号を送信するステップ、をさらに含み、
前記第１のデータ信号は、第１のＨＡＲＱプロセスに関連付けられ、
前記第３のデータ信号は、第２のＨＡＲＱプロセスに関連付けられる、
請求項５に記載の方法。
【請求項１１】
応答フィードバックメッセージを送信する前記ステップは、各ＨＡＲＱプロセスにおいて受信される信号について累積的なフィードバックメッセージを送信することを含む、請求項１０に記載の方法。
【請求項１２】
前記第２のデータ信号は、第３のＨＡＲＱプロセスに関連付けられる、請求項１０に記載の方法。
【請求項１３】
前記フィードバックメッセージは、前記第１、第２及び第３のデータ信号への累積的な応答である、請求項１２に記載の方法。
【請求項１４】
前記累積的な応答は、バンドリングされた確認応答／否定応答（ＡＣＫ／ＮＡＣＫ）メッセージである、請求項１３に記載の方法。
【請求項１５】
前記方法は、前記ノードから第２のノードへの前記ＵＥのハンドオーバの間に実現される、請求項１に記載の方法。
【請求項１６】
通信ネットワーク内で非同期のユーザ機器（ＵＥ）へ信号をダウンリンク送信するためのシステムであって、
前記システムは、
前記通信ネットワーク内で動作する非同期のＵＥと、
前記ＵＥと通信するノードであって、
前記ネットワークとの前記ＵＥの同期を要求するための手段を有し、
前記ＵＥの同期の前に前記ＵＥへ第１のデータ信号を送信し、
前記ＵＥが同期した後に前記ＵＥへ第２のデータ信号を送信する、
当該ノードと、
前記ＵＥの前記ネットワークとの同期を実行するための手段と、
前記第１のデータ信号及び前記第２のデータ信号の累積的なフィードバックメッセージである応答フィードバックメッセージを、前記ＵＥから前記ノードへ送信するための手段と、
を備える、
システム。
【請求項１７】
前記ノードは、拡張ノードＢである、請求項１６に記載のシステム。
【請求項１８】
前記ＵＥの同期を要求するための前記手段は、物理ダウンリンク制御チャネル上で前記ノードから前記ＵＥへ要求メッセージを送信するための手段を含む、請求項１６に記載のシステム。
【請求項１９】
前記ＵＥの同期を実行するための前記手段は、
前記ＵＥによる前記ノードとのランダムアクセス手続を実行するための手段と、
前記ノードから前記ＵＥへ時間調整コマンドを送信して、前記ＵＥに前記ネットワークと同期させるための手段と、
を含む、請求項１６に記載のシステム。
【請求項２０】
前記フィードバックメッセージは、ハイブリッド自動再送要求（ＨＡＲＱ）フィードバックメッセージである、請求項１６に記載のシステム。
【請求項２１】
前記フィードバックメッセージは、前記第１及び第２のデータ信号の累積的な確認応答／否定応答（ＡＣＫ／ＮＡＣＫ）メッセージである、請求項２０に記載のシステム。
【請求項２２】
前記ノードは、前記ＵＥの同期の前に第３のデータ信号を送信し、
前記第１及び第３のデータ信号は、第１のＨＡＲＱプロセスに関連付けられる、
請求項２０に記載のシステム。
【請求項２３】
前記第２のデータ信号は、前記第１のデータ信号の再送信号であり、前記第１のＨＡＲＱプロセスに関連付けられ、
前記フィードバックメッセージは、前記第２のデータ信号を前記第１及び第３のデータ信号とソフト合成する、
請求項２２に記載のシステム。
【請求項２４】
前記第３のデータ信号は、前記第１のデータ信号の再送信号である、請求項２３に記載のシステム。
【請求項２５】
前記ノードは、前記ＵＥの同期の前に第３のデータ信号を送信し、
前記第１のデータ信号は、第１のＨＡＲＱプロセスに関連付けられ、
前記第３のデータ信号は、第２のＨＡＲＱプロセスに関連付けられる、
請求項２０に記載のシステム。
【請求項２６】
応答フィードバックメッセージを送信する前記手段は、各ＨＡＲＱプロセスにおいて受信される信号について累積的なフィードバックメッセージを送信するための手段を含む、請求項２５に記載のシステム。
【請求項２７】
前記第２のデータ信号は、第３のＨＡＲＱプロセスに関連付けられる、請求項２５に記載のシステム。
【請求項２８】
前記フィードバックメッセージは、前記第１、第２及び第３のデータ信号への累積的な応答である、請求項２７に記載のシステム。
【請求項２９】
前記累積的な応答は、バンドリングされた確認応答／否定応答（ＡＣＫ／ＮＡＣＫ）メッセージである、請求項２８に記載のシステム。
【請求項３０】
通信ネットワーク内で非同期のユーザ機器（ＵＥ）へ信号をダウンリンク送信するためのノードであって、
前記ネットワーク内で動作する非同期のＵＥの同期を要求するための手段と、
前記ＵＥの同期の前に、前記ＵＥへ第１のデータ信号を送信するための手段と、
前記ＵＥの前記ネットワークとの同期を実行するための手段と、
前記ＵＥが同期した後に、前記ＵＥへ第２のデータ信号を送信するための手段と、
前記第１のデータ信号及び前記第２のデータ信号の累積的なフィードバックメッセージである応答フィードバックメッセージを、前記ＵＥから前記ノードへ受信するための手段と、
を備える、
ノード。
【請求項３１】
前記ノードは、拡張ノードＢである、請求項３０に記載のノード。
【請求項３２】
前記ＵＥの同期を要求するための前記手段は、物理ダウンリンク制御チャネル上で前記ノードから前記ＵＥへ要求メッセージを送信するための手段を含む、請求項３０に記載のノード。
【請求項３３】
前記ＵＥの同期を実行するための前記手段は、前記ノードから前記ＵＥへ時間調整コマンドを送信して、前記ＵＥに前記ネットワークと同期させるための手段を含む、請求項３０に記載のノード。
【請求項３４】
前記ノードは、前記ＵＥの同期の前に第３のデータ信号を送信し、
前記第１及び第３のデータ信号は、第１のＨＡＲＱプロセスに関連付けられる、
請求項３０に記載のノード。
【請求項３５】
前記第２のデータ信号は、前記第１のデータ信号の再送信号であり、前記第１のＨＡＲＱプロセスに関連付けられ、
前記フィードバックメッセージは、前記第２のデータ信号を前記第１及び第３のデータ信号とソフト合成する、
請求項３４に記載のノード。
【請求項３６】
前記第３のデータ信号は、前記第１のデータ信号の再送信号である、請求項３５に記載のノード。
【請求項３７】
前記ノードは、前記ＵＥの同期の前に第３のデータ信号を送信し、
前記第１のデータ信号は、第１のＨＡＲＱプロセスに関連付けられ、
前記第３のデータ信号は、第２のＨＡＲＱプロセスに関連付けられる、
請求項３０に記載のノード。
【請求項３８】
前記第２のデータ信号は、第３のＨＡＲＱプロセスに関連付けられる、請求項３７に記載のノード。
【請求項３９】
前記フィードバックメッセージは、前記第１、第２及び第３のデータ信号への累積的な応答である、請求項３０に記載のノード。
【請求項４０】
前記累積的な応答は、バンドリングされた確認応答／否定応答（ＡＣＫ／ＮＡＣＫ）メッセージである、請求項３９に記載のノード。
【発明の詳細な説明】
【技術分野】
【０００１】
［関連出願の相互参照］
本願は、２００８年１１月４日に出願された米国仮出願第６１／１１１０９２号の利益を主張し、その開示は参照によりここに取り入れられる。
【０００２】
本発明は、通信ネットワークに関する。より詳細には、限定の観点でではなく、本発明は、通信ネットワーク内で非同期のユーザ機器（ＵＥ：User  Equipment）へのデータのダウンロードのシステムおよび方法を対象とする。「ＬＴＥ（Long  Term  Evolution）  Ａｄｖａｎｃｅｄ」の重要な利点は、ユーザプレーン及び制御プレーンのレイテンシ又は遅延の減少である。３ＧＰＰ（Third  Generation  Partnership  Project）は、ＵＥが有効なスケジューリングの割当て及び／又はネットワークに同期する必要性を有しない状況において特別な注意が払われるべきことをある目標として仕様化されている。
【背景技術】
【０００３】
図１は、ＵＭＴＳネットワーク１００の簡略化されたブロック図を示しており、ＵＭＴＳネットワーク１００は、コアネットワーク１０２として言及される第３世代（３Ｇ）ネットワークと、ＵＴＲＡＮ（UMTS  Terrestrial  Radio  Access  Network）１０４とを含む。ＵＴＲＡＮは、複数の無線ネットワークコントローラ（ＲＮＣ：Radio  Networks  Controllers）１０６を含む。様々な役割を演ずる複数のＲＮＣが存在する。各ＲＮＣは、基地局のセットと接続される。基地局は、しばしば拡張ノードＢ（ｅＮＢ：Evolved  Node  B）１０８と呼ばれる。各ｅＮＢは、所与の地理的セル１１２の内部の１つ以上のＵＥ１１０との通信を担う。サービングＲＮＣは、ユーザのルーティング及びｅＮＢとコアネットワークとの間のデータのシグナリングを担う。
【０００４】
ＵＥがアップリンク（ＵＬ）においてデータを送信するために、ＵＥはネットワークと時間的に同期しなければならず、そうでなければＵＥの信号（transmissions）は他のＵＥの信号への干渉を引き起こし、さらに他のＵＥからの干渉をも受け得る。同期は、ＵＥが自身の送信タイミングを調整できるようにｅＮＢがＵＥへ時間調整（ＴＡ：time  alignment）コマンドを送信することにより達成される。延長される期間の間ＵＥが何らのＴＡコマンドも受信しなかった場合には、ＵＥ内の時間調整タイマが失効し、ＵＥはもはや同期されないと判断される。同期していない場合にＵＥがデータの送信を開始するためには、ＵＥは、まず、ランダムアクセス手続を実行し、その後にｅＮＢによるＴＡコマンドの送信が続く。ＵＥがＴＡコマンド（及び無線リソースを割り当てる許可）を受信した場合には、ＵＥは、アップリンクにおいてそのデータを送信することができる。
【０００５】
原理的には、ＵＥは、ネットワークに時間的に同期することなく、ダウンリンク（ＤＬ）においてデータを受信することができる。しかしながら、この状況では、ＵＥは、確認応答／否定応答（ＡＣＫ／ＮＡＣＫ）などのハイブリッド自動再送要求（ＨＡＲＱ：Hybrid  Automatic  Repeat  Request）フィードバックを送信することができない。なぜならば、これらメッセージは、ＵＥが同期していることを要するためである。よって、非同期のＵＥへデータを送信するための通常の動作は、複数のステップを含む。図２は、非同期のＵＥ１１０へデータを送信するための典型的なシーケンスを示すシグナリング図である。ネットワーク１００は、まず、物理ダウンリンク制御チャネル（ＰＤＣＣＨ）上でｅＮＢ１０８を通じて要求２００を送信することにより、ＵＥ１１０にランダムアクセス（ＲＡ）を行うことを命令する。ＵＥは、ｅＮＢへのランダムアクセスプリアンブルの送信を含むＲＡ手続２０２を行うことにより、要求に応答する。ＰＤＣＣＨ上の要求は、ＤＬ送信の前の衝突解決ハンドシェークの必要性を回避するために、ＲＡを行う際にＵＥがどのプリアンブルを使用すべきかについての標識（indication）を含む。また、ｅＮＢはいかなる専用のプリアンブルをも示さないことを選択することもでき、その場合には、衝突解決手続がＲＡの一部として行われる（図２には示されていない）。次に、ｅＮＢは、ＵＥの送信タイミングを調整するためのＴＡコマンド２０４を送信することにより応答する。ＴＡコマンドが送信された後、ｅＮＢは、ダウンリンクデータ２０６の送信を開始することができる。
【０００６】
非同期のＵＥについてのユーザプレーンの遅延を最小化するために、ＨＡＲＱが使用されていない限りでは、これらＵＥにデータを送信することが可能である。しかしながら、これは、ＨＡＲＱによって信号の損失を回復することができないという明確な欠点を有する。その代わりに、損失は無線リンク制御（ＲＬＣ）によって回復されなければならず、それにより遅延は再び増加する。既存の１つの解決策は、信頼性を向上させるために盲目的に複数回送信を繰り返すことである（例えば、データは３回送信され得る）。しかしながら、この手続は、多くの場合１回か２回の送信のみを要することから、また他の例として３回の送信も十分でない場合があることから、非効率的である。図３は、非同期のＵＥへの盲目的なＨＡＲＱ送信手続のシグナリング図である。図３に示されているように、ｅＮＢ１０９は、初回のデータ信号２１０をＵＥ１１０へ送信する。次に、ｅＮＢは、第１のデータ再送信号２１２をＵＥ１１０へ送信する。そして、第２の再送信号がｅＮＢからＵＥへ送信される。
【発明の概要】
【発明が解決しようとする課題】
【０００７】
本発明は、ＨＡＲＱの使用を可能としながら、通信ネットワークから非同期のＵＥへのデータ信号のダウンリンク送信を可能とする。
【課題を解決するための手段】
【０００８】
１つの観点において、本発明は、通信ネットワーク内で非同期のＵＥへ信号をダウンリンク送信する方法を対象とする。当該方法は、上記ネットワーク内のノードにより、上記ＵＥの上記ネットワークとの同期を要求することにより開始される。上記ＵＥの同期の前に、上記ノードから上記ＵＥへ第１のデータ信号が送信される。そして、上記ＵＥが上記ノードとのランダムアクセス手続を行い、それにより上記ＵＥの上記ネットワークとの同期のための時間調整コマンドが上記ノードから上記ＵＥへトリガされ、上記ＵＥが上記ネットワークと同期する。上記ＵＥが同期した後に、上記ノードから上記ＵＥへの第２のデータ信号が送信される。応答フィードバックメッセージが、上記ＵＥから上記ノードへ送信される。上記メッセージは、上記第１のデータ信号及び上記第２のデータ信号の累積的なフィードバックメッセージである。よって、上記ＵＥの同期の前に、データが送信され得る。
【０００９】
他の観点において、本発明は、通信ネットワーク内で非同期のＵＥへ信号をダウンリンク送信するためのシステムを対象とする。上記システムは、上記通信ネットワーク内で動作する非同期のＵＥ及び上記ＵＥと通信するノードを含む。上記ノードは、上記ネットワークとの上記ＵＥの同期を要求する。上記ノードは、上記ＵＥの同期の前に、上記ＵＥへ第１のデータ信号を送信する。そして、上記ＵＥの上記ネットワークとの同期が実行される。また、上記ノードは、上記ＵＥが同期した後に、上記ＵＥへ第２のデータ信号を送信する。上記ＵＥは、上記ＵＥから応答フィードバックメッセージを上記ノードへ送信する。上記メッセージは、上記第１のデータ信号及び上記第２のデータ信号の累積的なフィードバックメッセージである。
【００１０】
また別の観点において、本発明は、通信ネットワーク内で非同期のＵＥへ信号をダウンリンク送信するためのノードを対象とする。上記ノードは、上記ネットワーク内で動作する非同期のＵＥの同期を要求する。上記ノードは、上記ＵＥの同期の前に、上記ＵＥへ第１のデータ信号を送信する。上記ノードは、上記ＵＥを上記ネットワークと同期させる。さらに、上記ＵＥは、上記ＵＥが同期した後に、上記ＵＥへ第２のデータ信号を送信する。上記ノードは、上記ＵＥから応答フィードバックメッセージを上記ノードへ受信する。上記メッセージは、上記第１のデータ信号及び上記第２のデータ信号の累積的なフィードバックメッセージである。よって、上記ノードは、上記ＵＥの同期の前にデータが送信されることを可能とする。
【図面の簡単な説明】
【００１１】
以下の章において、本発明は、次の図面に示される例示的な実施形態を参照しながら説明される。
【００１２】
【図１】（従来技術）既存のＵＭＴＳネットワークの簡略化されたブロック図を示している。
【図２】（従来技術）非同期のＵＥへデータを送信するための典型的なシーケンスを示すシグナリング図である。
【図３】（従来技術）非同期のＵＥへの盲目的なＨＡＲＱ送信手続のシグナリング図である。
【図４】本発明の第１の実施形態における非同期のＵＥへのダウンリンク送信シーケンスを示すシグナリング図である。
【図５】本発明の教示に従った非同期のＵＥへのダウンリンク送信のステップを示すフローチャートである。
【図６】本発明の第２の実施形態に係る、バンドリングされるＡＣＫ／ＮＡＣＫフィードバックを利用する非同期のＵＥへのダウンリンク送信シーケンスを示すシグナリング図である。
【図７】本発明の教示に従ったバンドリングされるＡＣＫ／ＮＡＣＫフィードバックを利用する非同期のＵＥへのダウンリンク送信のステップを示すフローチャートである。
【発明を実施するための形態】
【００１３】
以下の詳細な説明において、本発明の完全な理解を提供するために、多くの具体的な詳細が説明される。しかしながら、本発明がそれら具体的な詳細によらずとも実践され得ることは当業者により理解されるであろう。他の例として、よく知られている方法、手続、コンポーネント及び回路は、本発明を曖昧にしないように、詳細には説明されていない。
【００１４】
本発明は、ＨＡＲＱを利用しながらも非同期のＵＥにダウンリンクデータを送信するシステム及び方法である。本発明において、上で議論した通常の動作と同様、ＵＥは、当該ＵＥがネットワークに時間的に同期することができるように、ランダムアクセス手続を行うことをｅＮＢにより要求される。これは、ｅＮＢからＵＥへＰＤＣＣＨ上で要求を送信することにより達成される。しかしながら、本発明では、ｅＮＢは、ＵＥが同期する前にダウンリンクデータを送信する。具体的には、データ送信は、ＰＤＣＣＨの要求が送信された直後に開始し得る。他の実施形態において、データは、送信されるＰＤＣＣＨでの要求の送信の前に送信されてもよい。他の実施形態において、データ送信は、ＰＤＣＣＨでの要求と同時に送信されてもよい。
【００１５】
１つの実施形態において、ｅＮＢは、所与のＨＡＲＱプロセスの識別（Identification）について、同じメディアアクセス制御プロトコル（ＭＡＣ  ＰＤＵ）の１つ以上のＨＡＲＱ信号／再送信号を送信する。ＵＥ１１０がネットワーク１００に同期し、同じＨＡＲＱプロセスについてのＨＡＲＱ再送信号を受信すると、当該再送信号は、同期していない間にＵＥが受信したＨＡＲＱ信号／再送信号とソフト合成される。そして、ＵＥは、ＨＡＲＱプロセスにおける全てのＨＡＲＱ信号／再送信号について累積的なＨＡＲＱフィードバックメッセージ（ＡＣＫ／ＮＡＣＫ）を送信する。よって、ＵＥが同期していない間にデータが送信されるとしても、ＨＡＲＱフィードバックは送信され得る。
【００１６】
図４は、本発明の第１の実施形態における非同期のＵＥへのダウンリンク送信シーケンスを示すシグナリング図である。ネットワークに時間的に同期するために、ランダムアクセスを行うことのＰＣＣＣＨでの要求２２０が、ｅＮＢ１０８からＵＥ１１０へ送信される。ｅＮＢは、所与のＨＡＲＱプロセスの識別について同じＭＡＣ  ＰＤＵの１つ以上のデータ信号／再送信号をＵＥ１１０へ送信する。図４に示されているように、ｅＮＢは、ＵＥへ第１のデータ信号２２２及び第１のデータ再送信号２２４を送信する。第１の信号及び第２の再送信号の双方は、同期の前にＵＥへ送信される。ＵＥは、上記要求に応じて、図２に示したのと同様のやり方でランダムアクセス（ＲＡ）手続２２６を行う。次に、ｅＮＢは、ＴＡコマンド２２８を送信することにより応答し、ＵＥの送信タイミングを調整する。また、ｅＮＢは、新たに同期したＵＥへ、ダウンリンクデータ２３０（即ち、同じＨＡＲＱプロセスについてのＨＡＲＱ再送信による再送信号）を送信してもよい。そして、ＵＥは、ＨＡＲＱプロセス内の全てのＨＡＲＱ信号／再送信号について累積的なＨＡＲＱフィードバックメッセージ（ＡＣＫ／ＮＡＣＫ）２３２を送信する。上記累積的なＡＣＫ／ＮＡＣＫは、第１の信号２２２、第１の再送信号２２４及び信号２３０の累積的な応答を含む。
【００１７】
図４は１つのＨＡＲＱプロセスに関連付けられる送信を示しているものの、ＵＥが非同期である間の複数の、場合によっては全てのＨＡＲＱプロセスにおいてｅＮＢがデータを送信する場合にも、本発明は実装され得ることが理解されるべきである。ＵＥが同期すると、ｅＮＢは未処理のデータを有する各ＨＡＲＱプロセスについて再送信号を送信してもよく、そうするとそれらＨＡＲＱプロセスの各々についてＨＡＲＱフィードバックが受信される。
【００１８】
図５は、本発明の教示に従った非同期のＵＥへのダウンリンク送信のステップを示すフローチャートである。ここで、図１、図４及び図５を参照しながら本方法が説明される。ステップ３００において、ＰＣＣＣＨでの要求２２０がｅＮＢ１０８からＵＥ１１０へ送信される。次に、ステップ３０２において、ｅＮＢは、所与のＨＡＲＱプロセスの識別について同じＭＡＣ  ＰＤＵの１つ以上のデータ信号／再送信号を非同期のＵＥ１１０へ送信する。図４に示されているように、ｅＮＢは、第１のデータ信号２２２及び第１のデータ再送信号２２４をＵＥへ送信する。ステップ３０４において、ＵＥは、上記要求に応じて、ＲＡ手続２２６を行う。次に、ステップ３０６において、ｅＮＢは、ＴＡコマンド２２８を送信することにより応答し、ＵＥの送信タイミングを調整する。さらに、ステップ３０８において、ｅＮＢは、新たに同期したＵＥへ、ダウンリンクデータ２３０（即ち、同じＨＡＲＱプロセスについてのＨＡＲＱ再送信による再送信号）を送信する。そして、ステップ３１０において、ＵＥは、ＨＡＲＱプロセス内の全てのＨＡＲＱ信号／再送信号についての累積（accumulation）であるＨＡＲＱフィードバックメッセージ（ＡＣＫ／ＮＡＣＫ）２３２を送信する。上記累積的なＡＣＫ／ＮＡＣＫは、第１の信号２２２、第１の再送信号２２４及び信号２３０の累積的な応答を含む。
【００１９】
他の実施形態において、本発明は、ＬＴＥ  ＴＤＤ（Long  Term  Evolution  Time  Division  Duplex）から知られているＨＡＲＱ  ＡＣＫ／ＮＡＣＫバンドリングを利用してもよい。この実施形態では、ＵＥは、図４において示したのと同様のやり方で同期する。しかしながら、ＵＥは、異なるＨＡＲＱプロセスにおけるデータについて１つ又は複数のＨＡＲＱ信号を受信すると、バンドリングされたＡＣＫ／ＮＡＣＫを送信する。ＮＡＣＫは、復号できない何らかのデータをＵＥが受信した場合に送信される。そうでなければ、複数のＨＡＲＱプロセスにわたる全てのデータに対して累積的に確認応答をするＡＣＫが送信される。
【００２０】
図６は、本発明の第２の実施形態に係る、バンドリングされるＡＣＫ／ＮＡＣＫフィードバックを利用する非同期のＵＥへのダウンリンク送信シーケンスを示すシグナリング図である。図４において議論したように、ネットワークに時間的に同期するために、ランダムアクセスを行うことのＰＣＣＣＨでの要求２２０が、ｅＮＢ１０８からＵＥ１１０へ送信される。ｅＮＢは、１つ以上のデータ信号／再送信号をＵＥ１１０へ送信する。図６に示されているように、ｅＮＢは、ＵＥへＨＡＲＱプロセス１の第１のデータ信号４０２及びＨＡＲＱプロセス２の第１のデータ信号４０４を送信する。これら信号の双方は、同期の前にＵＥへ送信される。ＵＥは、上記要求に応じて、図４に示したのと同様のやり方でＲＡ手続４０６を行う。次に、ｅＮＢは、ＴＡコマンド４０８を送信することにより応答し、ＵＥの送信タイミングを調整する。また、ｅＮＢは、新たに同期したＵＥへ、ＨＡＲＱプロセス３の第１のデータ信号４１０を送信してもよい。そして、ＵＥは、複数のＨＡＲＱプロセスにわたる全てのデータに対して累積的に確認応答する、信号４０２、４０４及び４１０の累積的なＡＣＫ／ＮＡＣＫであるＨＡＲＱフィードバックメッセージ（ＡＣＫ／ＮＡＣＫ）４１２を送信する。
【００２１】
図７は、本発明の教示に従ったバンドリングされるＡＣＫ／ＮＡＣＫフィードバックを利用する非同期のＵＥへのダウンリンク送信のステップを示すフローチャートである。ここで、図１、図６及び図７を参照しながら本方法が説明される。ステップ５００において、ＰＣＣＣＨでの要求４００がｅＮＢ１０８からＵＥ１１０へ送信される。次に、ステップ５０２において、ｅＮＢは、１つ以上のデータ信号／再送信号を非同期のＵＥ１１０へ送信する。図６に示されているように、ｅＮＢは、ＵＥへＨＡＲＱプロセス１の第１のデータ信号４０２及びＨＡＲＱプロセス２の第１のデータ信号４０４を送信する。ステップ５０４において、ＵＥは、上記要求に応じて、ＲＡ手続４０６を行う。次に、ステップ５０６において、ｅＮＢは、ＴＡコマンド４０８を送信することにより応答し、ＵＥの送信タイミングを調整する。また、ステップ５０８において、ｅＮＢは、新たに同期したＵＥへ、ＨＡＲＱプロセス３の第１のデータ信号４１０を送信する。そして、ＵＥは、信号４０２、４０４及び４１２の累積的なＡＣＫ／ＮＡＣＫであるＨＡＲＱフィードバックメッセージ（ＡＣＫ／ＮＡＣＫ）４１２を送信する。
【００２２】
本発明は、時間的な遅延の顕著な削減を提供する。ＵＥにおけるＰＤＣＣＨでの要求の受信からＵＥが同期するまでの間の時間は、ＲＡの機会までの待機とＵＥ及びｅＮＢにおける処理遅延とを含む。上記時間は、１５ミリ秒（ｍｓ）のオーダであり得る。図１に示した通常のシーケンスでは、ｅＮＢは第１のデータ信号の送信の前に約１５ｍｓ待たなければならない。ＡＣＫ／ＮＡＣＫは、データ送信の４ｍｓ後に受信される。従って、第１の信号がＨＡＲＱにより確認応答されるまでの合計時間は、約１９ｍｓである。本発明では、ＰＤＣＣＨ要求の後、即座にデータが送信される。その代わりに、データは、ＰＤＣＣＨの前であっても送信されてよい。ＵＥが自身を同期させている時間の間、ｅＮＢは、望ましければ、追加的なＨＡＲＱ再送信号を送信してもよい。ＵＥが同期すると、ｅＮＢは、追加的なＨＡＲＱ再送信号を送信し、行われたＨＡＲＱ送信／再送信についての累積であるＡＣＫ／ＮＡＣＫを受信する。表１は、必要なＨＡＲ信号の様々な数についてデータがＵＥにおいて受信されるまでの時間的な遅延を提供する。
【００２３】
【表１】
0005486013.tif 000002
【００２４】
表１は、ＨＡＲＱ信号の様々な数についての、ＵＥにおいてデータが正しく受信されるまでに要する遅延の推定値を提供する。なお、正確な値は処理時間及び他の想定に依存して変化するため、上記表は例に過ぎないことに留意すべきである。明白な点として、盲目的な送信は、行われるＨＡＲＱ送信の回数が十分に多ければ非常に低い遅延を有する。３回よりも多い回数の送信が必要な場合には、成功裏の受信が欠損したことを示すＨＡＲＱフィードバックが存在しないことから、ＨＡＲＱにおいてデータが失われる。ＲＬＣ確認応答モード（ＡＭ：Acknowledged  Mode）が使用される場合には、ＲＬＣが損失を回復することができる。しかしながら、このプロセスは、著しく多くの時間を要する。また、盲目的な再送では、成功裏の受信のために１回又は２回のＨＡＲＱ送信で十分である場合に多くの不要な再送が行われ得ることにも留意すべきである。本発明は、低い時間的遅延を、ＨＡＲＱプロトコルのロバスト性及びリソースの効率的使用と組み合わせる。
【００２５】
本発明の代替的な実施形態において、非同期のＵＥへのデータ送信の一般的なケースに加えて、本発明は、ハンドオーバの中断時間の削減のために使用されてもよい。ハンドオーバにおいて、ターゲットセルへのＲＡ手続が行われ、ターゲットｅＮＢは、ＵＥが同期するのを待つよりもむしろ、ＲＡが受信されたすぐ後にＵＥへデータを送信してよい。ＵＥは、同期した際にＨＡＲＱ  ＡＣＫ／ＮＡＣＫを送信することで十分である。本発明は、いかなる種類のネットワークにおいて使用されてもよく、ここで説明したネットワーク及びメッセージに限定されないことも理解されるべきである。
【００２６】
本発明は、既存のシステムに対して多くの利点を提供する。本発明は、ＨＡＲＱのロバスト性を維持しつつ、非同期のデータへのダウンリンクデータの送信について低遅延を提供する。
【００２７】
当業者により認識されるように、本出願において説明される革新的な概念は、広範囲の応用にわたって修正され及び変更されることができる。それに応じて、権利化される主題の範囲は、上で議論された具体的で例示的な教示のいずれにも限定されるべきではなく、その代わりに次の特許請求の範囲によって定義される。
【図１】
0005486013.tif 000003
【図２】
0005486013.tif 000004
【図３】
0005486013.tif 000005
【図４】
0005486013.tif 000006
【図５】
0005486013.tif 000007
【図６】
0005486013.tif 000008
【図７】
0005486013.tif 000009